(57)【特許請求の範囲】
【請求項１】
磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ駆動手段は、前記磁気テープを巻き取る巻き取りリール駆動手段と、前記磁気テープを送出す送出しリール駆動手段を備え、前記第２のテープ走行量検出手段は、前記送出しリール駆動手段から得られるリールＦＧ信号を基に算出したテープ走行量と、前記巻き取りリール駆動手段から得られるリールＦＧ信号を基に算出したテープ走行量との平均をテープ走行量として検出することを特徴とする磁気記録再生装置。
【請求項２】
磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ走行量切換手段は、テープすべりを検出すれば、前記第1のテープ走行量検出手段の検出したテープ走行量を選択して出力することを特徴とする磁気記録再生装置。
【請求項３】
磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ走行量切換手段は、前記第１のテープ走行量検出手段及び前記第２のテープ走行量検出手段が検出するテープ走行量のうちテープ走行量が多い方を選択して出力することを特徴とする磁気記録再生装置。
【請求項４】
テープ駆動手段は、磁気テープを巻き取る巻き取り側リール駆動手段と、前記磁気テープを送出す送出し側リール駆動手段を備え、第２のテープ走行量検出手段は、前記送出し側リール駆動手段から得られるリールＦＧ信号を基にテープ走行量を検出することを特徴とする請求項３記載の磁気記録再生装置。
【請求項５】
磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ走行量切換手段は、テープすべりを検出し、かつ、コントロール信号の欠落を検出すれば、前記第１のテープ走行量検出手段及び前記第２のテープ走行量検出手段が検出するテープ走行量のうち、テープ走行量が多い方を選択して出力することを特徴とする磁気記録再生装置。
【発明の詳細な説明】
【０００１】
【発明の属する技術分野】
本発明は、磁気テープのテープ位置検索を行う磁気記録再生装置に関する。詳しくは、編集時等の頭出し検索装置および方法に関するもので、編集点をより正確に検索できるようにすると共に、検索時間を短縮できるようにしたものである。
【０００２】
【従来の技術】
素材が記録されている磁気テープから放送用に使用する正式な編集テープを作成する場合には通常以下のような編集処理を行っている。まず、複数の素材Ａ，Ｂ…が記録されている磁気テープ（以下素材テープという）から、放送しようとする特定の素材、例えば素材Ｂを選び、編集点（編集の開始点を示すIN点および編集の終了点を示すＯＵＴ点）を、映像を再生しながら決定する。次に、編集テープへの編集を開始するため、素材テープをそのＯＵＴ点側からＩＮ点に向けて可変速走行させる。この動作モードをキューアップという。このとき、コントロール信号を用いてＩＮ点を検索する作業が素材テープと編集テープの双方に対して行なわれる。例えば、コントロール信号をカウントするカウンタを、キューアップ開始時に零にリセットしておき、カウンタが目標値になるようにカウンタの値に応じて段階的に減速していきます。そしてＩＮ点が決まると編集開始となり、素材テープと編集テープの双方を同時走行させて素材テープに記録された素材Ｂの映像情報（ＩＮ点からＯＵＴ点まで）が編集テープにダビングされる。これで素材Ｂに関する編集作業が終了する。
【０００３】
図７は従来の磁気記録再生装置の構成を示すブロック図である。以下、巻き戻し方向でキューアップする場合を説明する。この磁気記録再生装置は回転ドラム１を有し、これに近接して磁気テープ２が巻かれたビデオカセット３が装填される。磁気テープ２は図７のような経路を経て回転ドラム１に所定の角範囲に亘って巻き付けられる。そして、磁気テープ２の走行経路のうち、巻き戻し再生時に回転ドラム1からテープ送出側の所定位置に、キャプスタン４とピンチローラ５が配置されてテープ駆動が行われる。テープ走行経路の所定位置には、コントロール信号を記録再生するコントロール信号用磁気ヘッド６が設けられている。磁気テープ２は巻き取りリール７と送出しリール８の間に巻き付けられており、それぞれには巻き取りリール駆動回路９、送出しリール駆動回路１０が設けられ、それぞれのリール７，リール８を直接駆動できるようになっている。
【０００４】
コントロール信号用磁気ヘッド６の再生信号がＣＴＬ信号再生回路１１に供給されて再生される。このＣＴＬ信号再生回路１１でパルス化されたコントロールパルス信号は目標位置までのＣＴＬカウンタ１２でカウントされる。目標位置までのＣＴＬカウンタ１２でカウントされたカウント値は、キューアップ制御部１６に供給される。キューアップ制御部１６は、キューアップ開始時に、目標位置までのＣＴＬカウンタ１２のカウンタをリセットし、目標位置までのＣＴＬカウンタ１２から供給されるテープ走行量が目標値と一致するように、巻き取りリール駆動回路９及び送出しリール駆動回路１０を制御する。
【０００５】
【発明が解決しようとする課題】
上記のごとく、従来の磁気記録再生装置では、キューアップ開始時にカウンタをリセットし、キューアップ中にコントロール信号を再生してカウンタが目標値になるように処理する。従って、コントロール再生ヘッドの目詰まりが生じて、コントロール信号が歯抜けになってしまうとＩＮ点をうまく検索できないという問題点があった。
【０００６】
そこで本発明の目的は、コントロール信号とテープ駆動手段から検出したテープ走行量の双方を補完しあいながらテープ走行量検出を行い。テープ位置検索をするキューアップ機能を備えた磁気記録再生装置を提供することである。
【０００７】
【課題を解決するための手段】
上記課題を解決するために、本発明の磁気記録再生装置は、第1のテープ走行量検出手段がコントロール信号よりテープ走行量を検出し、第２のテープ走行量検出手段がテープ駆動手段より出力されるリールＦＧ信号よりテープ走行量を検出し、テープ走行量検出切換手段がテープ位置検索中に第1のテープ走行量検出手段と第２のテープ走行量検出手段が検出した走行量のうち、多い方の走行量をテープ走行量として出力する。
【０００８】
【発明の実施の形態】
本発明の第1の発明は、磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ駆動手段は、前記磁気テープを巻き取る巻き取りリール駆動手段と、前記磁気テープを送出す送出しリール駆動手段を備え、前記第２のテープ走行量検出手段は、前記送出しリール駆動手段から得られるリールＦＧ信号を基に算出したテープ走行量と、前記巻き取りリール駆動手段から得られるリールＦＧ信号を基に算出したテープ走行量との平均をテープ走行量として検出することを特徴とする磁気記録再生装置であり、テープ走行量手段を２つ設けたことで、双方のテープ走行量検出手段が補完しあいながらテープ走行量検出を行うことができ、さらに、送出しテープ走行量と巻き取りテープ走行量を平均化することで、テープ位置検索の誤差を少なくすることができる。
【０００９】
本発明の第２の発明は、磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ走行量切換手段は、テープすべりを検出すれば、前記第1のテープ走行量検出手段の検出したテープ走行量を選択して出力することを特徴とする磁気記録再生装置であり、テープすべりが検出された場合でも、第１のテープ走行量検出手段の検出したテープ走行量を用いることで、正確なテープ走行量を検出することが可能となる。
【００１０】
本発明の第３の発明は、磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ走行量切換手段は、前記第１のテープ走行量検出手段及び前記第２のテープ走行量検出手段が検出するテープ走行量のうちテープ走行量が多い方を選択して出力することを特徴とする磁気記録再生装置であり、テープ走行量が多い方を選択して出力することにより、片方のテープ走行量検出手段がテープ走行量を少なく検出した場合でも、他方のテープ走行量検出手段の検出したテープ走行量で対応することができる。
【００１１】
本発明の第４の発明は、第３の発明において、テープ駆動手段は、磁気テープを巻き取る巻き取り側リール駆動手段と、前記磁気テープを送出す送出し側リール駆動手段を備え、第２のテープ走行量検出手段は、前記送出し側リール駆動手段から得られるリールＦＧ信号を基にテープ走行量を検出することを特徴とする磁気記録再生装置であり、送出しリールＦＧを基にしたテープ走行量のみを用いてテープ位置検索を行うことで、巻き取りリール側でテープすべりが発生しても、正確なテープ走行量検出を可能とする。
【００１２】
本発明の第５の発明は、磁気テープを駆動するテープ駆動手段と、前記テープ駆動手段により駆動された前記磁気テープから所定の周期で記録されたコントロール信号を再生するコントロール信号再生手段と、前記コントロール信号よりテープ走行量を検出する第1のテープ走行量検出手段と、前記テープ駆動手段より出力される信号よりテープ走行量を検出する第２のテープ走行量検出手段と、テープ位置検索中に前記第1のテープ走行量検出手段が検出したテープ走行量と前記第２のテープ走行量検出手段が検出したテープ走行量のいずれかを選択して出力するテープ走行量切換手段とを備え、前記テープ走行量切換手段は、テープすべりを検出し、かつ、コントロール信号の欠落を検出すれば、前記第１のテープ走行量検出手段及び前記第２のテープ走行量検出手段が検出するテープ走行量のうち、テープ走行量が多い方を選択して出力することを特徴とする磁気記録再生装置である。
【００１４】
（実施の形態１）
図１は本実施の形態に係る磁気記録再生装置の構成を示すブロック図である。図１において、図７に示す従来の磁気記録再生装置と同様の構成には同一の参照符号を付し、説明を省略する。
【００１５】
図１において、１３は巻き取りリール駆動回路９及び送出しリール駆動回路１０からそれぞれ供給される巻き取りリールＦＧ(Frequency Generator)信号及び送出しリールＦＧ信号を基にテープ走行量を検出するテープ走行量検出回路、１４はテープ走行量検出回路１３より出力されるテープ走行量をカウントする第２のテープ走行量検出手段である目標位置までのテープ走行量カウンタ、１５は目標位置までのＣＴＬカウンタ１２及び目標位置までのテープ走行量カウンタ１４でカウントされたカウンタ値を比較し、テープ走行量が多い方の値を選択してキューアップ制御部１６に供給するテープ走行量切換回路である。図１において、巻き取りリール駆動回路９及び送出しリール駆動回路１０はテープ駆動手段、目標位置までのＣＴＬカウンタは第１のテープ走行量検出手段である。
【００１６】
映像信号は１フレームが複数セグメントで構成されるフォーマットでディジタル記録される。本実施の形態では１フレームが４トラックで構成され、巻き戻し方向でキューアップする場合を例にとって説明する。また、リールFG信号は、リールモータの円周にほぼ等間隔にマーキングされており、１回転で等間隔のパルスが出力される。
【００１７】
テープ走行量検出回路１３は、巻き取りリール駆動回路９及び送出しリール駆動回路１０からそれぞれのリールＦＧ信号を供給され、巻き取りリールＦＧ信号及び送出しリールＦＧ信号を基にテープ走行量をそれぞれ算出し、それぞれのテープ走行量を平均化する。このテープ走行量は目標位置までのテープ走行量カウンタ１４でカウントされる。
【００１８】
テープ走行量切換回路１５は、目標位置までのＣＴＬカウンタ１２及び目標位置までのテープ走行量カウンタ１４でカウントされたカウンタ値を比較し、テープ走行量が多い方の値を採用し、キューアップ制御部１６に供給する。キューアップ制御部１６は、キューアップ開始時に、目標位置までのＣＴＬカウンタ１２及び目標位置までのテープ走行量カウンタ１４のカウンタをリセットし、テープ走行量切換回路１５から供給されるテープ走行量が目標値と一致するように、巻き取りリール駆動回路９及び送出しリール駆動回路１０を制御する。
【００１９】
図２は回転ドラム１に取り付けられた回転磁気ヘッド（図示せず）と、上述した固定の磁気ヘッドによって記録されるテープパターンの例を示したものである。図２において、磁気テープ２の中央には回転ヘッドによってディジタルの映像信号が記録された傾斜トラック２０が生成される。傾斜トラック２０には、ディジタルの映像信号が記録されている。磁気テープ２の一方側にはコントロール信号用磁気ヘッド６によってコントロール信号用（コントロールパルス）が記録されたコントロールトラック２１が生成される。
【００２０】
図３は、テープ走行量検出回路１３の詳細な構成を示すブロック図である。
【００２１】
図３において、３０は送出しリール駆動回路１０より出力される送出しリールＦＧ信号をカウントし、送出しリールカウント値として出力するリールFGカウンタ、３１は巻き取りリール駆動回路９より出力される巻き取りリールＦＧ信号をカウントし、巻き取りリールＦＧカウンタ値として出力する巻き取りリールFGカウンタ、３２は送出しリールＦＧカウンタ値と巻き取りリールＦＧカウント値から送出しリール径を算出する送出しリール径算出回路、３３は送りだしリール径算出回路３２が算出した送出しリール径より急激に変化した値を除去する送出しリール径フィルタ回路、３４は送出しリールＦＧカウンタ３０より出力された送出しリールＦＧカウンタ値と、送出しリール径フィルタ回路３３より出力された送出しリール径からテープ走行量を算出する第１のテープ走行量算出回路、３５は送出しリールＦＧカウンタ値と巻き取りリールＦＧカウント値から巻き取りリール径を算出する巻き取りリール径算出回路、３６は巻き取りリール径算出回路３５が算出した巻き取りリール径より急激に変化した値を除去する巻き取りリール径フィルタ回路、３７は巻き取りリールＦＧカウンタ３１より出力された巻き取りリールＦＧカウンタ値と、巻き取りリール径フィルタ回路３６より出力された巻き取りリール径からテープ走行量を算出する第２のテープ走行量算出回路、３８は第1のテープ走行量算出回路３４で算出されたテープ走行量と第２のテープ走行量算出回路３７で算出されたテープ走行量を平均化するテープ走行量平均化回路である。
【００２２】
以下、素材テープから所定の映像情報を切り出し、編集テープにダビングする場合について説明する。まず、素材テープの必要な記録部分に対して映像の切り出しを行う作業（編集ＩＮ点、ＯＵＴ点を決める）が、素材テープを再生しながら行われる。編集点が確定すると、素材テープを再生モードに、編集テープを記録モードにして待機させるが、素材テープはＩＮ点よりも僅かに手前の目標点で待機させる。それはテープ走行が安定してからテープを再生させる必要があるからである。編集テープも同様である。
【００２３】
素材テープにおいて、磁気テープ２をＯＵＴ点側からＩＮ点まで巻き戻しによる高速走行させるキューアップ処理について説明する。キューアップ処理開始時、キューアップ制御部１６は目標位置までのＣＴＬカウンタ１２及び目標位置までのテープ走行量カウンタ１４をリセットし、ＩＮ点までのテープ走行量を設定する。コントロール信号用磁気ヘッド６から再生されたコントロール信号はＣＴＬ信号再生回路１１で１フレームに１パルス出力されるようにパルス化され、ＣＴＬカウンタ１２に供給される。目標位置までのＣＴＬカウンタ１２はキューアップ開始時にリセットされ、コントロール信号用磁気ヘッド６の目詰まりなどによるコントロールパルスの欠落がない限り、テープ走行量に応じて１フレームに１回カウントされる。一方、巻き取りリール駆動回路９及び送出しリール駆動回路１０からそれぞれ巻き取りリール７および送出しリール８のリールＦＧ信号が巻き取りリールＦＧカウンタ３１及び送出しリールＦＧカウンタ３０それぞれに供給される。
【００２４】
今、巻き取りリールＦＧカウンタ３１及び送出しリールＦＧカウンタ３０の値をＦＧｔ[カウント]、ＦＧｓ[カウント]、テープ総量をTW[m]、送出しリール径をＲｓ[m]、巻き取りリール径をＲｔ[m]とした時、送出しリール径Ｒｓ[m]、巻き取りリール径Ｒｔ[m]は、それぞれ（数１）、（数２）の関係となり、送出しリール径算出回路３２は送出しリール径Ｒｓを、巻き取りリール径算出回路３５は巻き取りリール径Ｒｔを算出する。
【００２５】
【数１】
0003729079.tif 000002
【００２６】
【数２】
0003729079.tif 000003
【００２７】
送出しリール径フィルタ回路３３及び巻き取りリール径フィルタ回路３６は、それぞれ送出しリール径算出回路３２および巻き取りリール径算出回路３５が算出した送出しリール径および巻き取りリール径に対して、急激にリール径が変化した時はそのリール径を採用しないようにする処理を行う。これにより、テープ走行量に応じた送出しリール径及び巻き取りリール径を第1のテープ走行量算出回路３４及び第２のテープ走行量算出回路３７に供給できる。第1のテープ走行量算出回路３４では、送出しリール径をＲｓ[m]、１回転の送出しリールＦＧ信号数をＺ[カウント／１回転]、送出しリールＦＧカウンタ３０の値をＦＧｓ[カウント]、１フレーム当たりのテープ走行量をＦＲ[m／フレーム]、送出しテープ走行量をＭｓ[フレーム]とした時、（数３）の関係となることから、送出しテープテープ走行量Ｍｓを算出する。
【００２８】
【数３】
0003729079.tif 000004
【００２９】
同様に、第2のテープ走行量算出回路３７では、巻き取りリール径をＲｔ[m]、１回転の送出しリールＦＧ信号数をＺ[カウント／１回転]、巻き取りリールＦＧカウンタ３１の値をＦＧｔ[カウント]、１フレーム当たりのテープ走行量をＦＲ[m／フレーム]、巻き取りテープ走行量をＭｔ[フレーム]とした時、（数４）の関係となることから、巻き取りテープ走行量Ｍｔを算出する。
【００３０】
【数４】
0003729079.tif 000005
【００３１】
送出しテープテープ走行量Ｍｓと巻き取りテープ走行量Ｍｔはテープ走行量平均化回路３８に供給され、テープ走行量は平均化された結果（Ｍｓ＋Ｍｔ）／２となる。テープ走行量平均化回路３８で算出されたテープ走行量は目標位置までのテープ走行量カウンタ１４でカウントされる。テープ走行量切換回路１５では、目標位置までのＣＴＬカウンタ１２でカウントされたテープ走行量と目標位置までのテープ走行量カウンタ１４でカウントされたテープ走行量とを比較して、テープ走行量が多い方を採用してキューアップ制御部１６へ供給する。これは、前述したように、コントロール信号用磁気ヘッド６の目詰まりなどによるコントロールパルスの欠落が発生すると、テープ走行量が実際よりも少なくなり、ＯＵＴ点からＩＮ点に向かってキューアップした場合、IN点を超えてキューアップしてしまい、テープの始端付近にＩＮ点がある場合にテープ始端に突入してしまう危険があるためである。
【００３２】
従って、本発明によりコントロール信号用磁気ヘッド６の目詰まりなどによるコントロールパルスの欠落が発生した場合、目標位置までのＣＴＬカウンタ１２でカウントされたテープ走行量が少なくなっても、目標位置までのテープ走行量カウンタ１４でカウントされたテープ走行量が採用され、コントロール信号用磁気ヘッド６の目詰まりの影響を受けなくなる。その結果、テープ始端に突入してしまう危険を回避できる。
【００３３】
また、リールＦＧ信号からテープ走行量を算出した時にばらつきがあっても、送出しテープ走行量と巻き取りテープ走行量を平均化することで、テープ位置検索の誤差を少なくすることができる。
【００３４】
（実施の形態２）
高速再生で巻き戻しを行う場合、テープのグズ巻きなどにより、巻き取りリール側で一瞬テープすべりが発生する可能性がある。本実施の形態では、巻き取りリール側で一瞬テープすべりが発生しても、正確なテープ走行量検出を可能にする磁気記録再生装置について説明する。
【００３５】
本実施の形態に係る磁気記録再生装置の構成は実施の形態１に係る磁気記録再生装置の構成と同一である。本実施の形態の磁気記録再生装置と実施の形態１の磁気記録再生装置との相違点は、テープ走行量検出回路１３の動作であるので、本実施の形態では、テープ走行量検出回路１３の動作を中心に説明する。
【００３６】
図４はテープ走行量検出回路４０の詳細な構成を示すブロック図である。図４において、図３に示すテープ走行量検出回路１３と同様の構成には同一の参照符号を付し、説明を省略する。
【００３７】
実施の形態１と同様に、素材テープにおいて、磁気テープ２をＯＵＴ点側からＩＮ点まで巻き戻しによる高速走行させるキューアップ処理について説明する。
【００３８】
テープ走行量検出回路１３では、巻き取りリール駆動回路９及び送出しリール駆動回路１０からそれぞれのリールＦＧ信号が巻き取りリールＦＧカウンタ３１及び送出しリールＦＧカウンタ３０それぞれに供給される。今、巻き取りリールＦＧカウンタ３１及び送出しリールＦＧカウンタ３０の値をＦＧｔ[カウント]、ＦＧｓ[カウント]、テープ総量をTW[m]、送出しリール径をＲｓ[m]、巻き取りリール径をＲｔ[m]とした時、送出しリール径Ｒｓ[m]は、（数５）の関係となり、送出しリール径算出回路３２は送出しリール径Ｒｓを算出する。
【００３９】
【数５】
0003729079.tif 000006
【００４０】
以上のことから、本実施の形態の磁気記録再生装置は、送出しリール径を基にしたテープ走行量検出のみを用いてテープ位置検索を行っているので、高速再生で巻き戻しを行う場合に、テープのグズ巻きなどにより、特に巻き取りリール７側で一瞬テープすべりが発生しても、正確なテープ走行量検出を可能となる。
【００４１】
（実施の形態３）
本実施の形態では、テープのぐず巻きによって生じるテープすべり、コントロール再生磁気ヘッドの目詰まりによって生じるコントロール信号の欠落が発生しても、正確にキューアップ動作が可能となる磁気記録再生装置について説明する。
【００４２】
図５は本実施の形態に係る磁気記録再生装置の構成を示すブロック図である。図５において、実施の形態１の磁気記録再生装置と同様の構成には同一の参照符号を付与し、説明を省略する。
図５において、６０は巻き取りリール駆動回路９および送出しリール駆動回路１０よりそれぞれ出力される巻き取りリールＦＣ信号、送出しリールＦＧ信号よりテープすべりを検出するテープすべり検出回路、６１はＣＴＬ信号再生回路により再生されるコントロール信号の欠落検出を行うコントロール信号欠落検出回路、６２はコントロール信号欠落検出回路６１、テープすべり検出回路６０の検出結果に応じて、目標位置までのＣＴＬカウンタ１２、目標位置までのテープ走行量カウンタ１４の出力のいずれかをテープ走行量とするテープ走行量切換回路である。
【００４３】
図６はテープすべり検出回路６０の詳細を示すブロック図である。図６において、図３と同様の構成には同一の参照符号を付与し、説明を省略する。
【００４４】
テープ走行量比較回路７０は第1のテープ走行量算出回路３４で算出されたテープ走行量と第２のテープ走行量算出回路３７で算出されたテープ走行量より、第２のテープ走行量算出回路３７が所定量多い場合、テープすべりが発生したと判別する。
【００４５】
一方、コントロール信号欠落検出回路６１は、ＣＴＬ再生回路１１により再生されたコントロール信号を、キューアップ制御部１６から供給される指令速度から算出した所定時間モニターして、コントロール信号の欠落検出を行う。今、速度をＶ倍速、欠落判別閾値をＫ、モニター時間をＴ、コントロール信号が１フレームで１パルスカウントとすると、Ｔ＝（１フレーム時間／Ｖ）×Ｋとなり、モニター時間Ｔの間コントロール信号がカウントされなければ欠落と判別する。
【００４６】
テープ走行量切換回路６２はテープすべり検出回路６０でテープすべりを検出した場合は、目標位置までのＣＴＬカウンタ１２をテープ走行量として採用し、コントロール信号欠落検出回路６１でコントロール信号欠落を検出した場合は、目標位置までのテープ走行量カウンタ１４をテープ走行量として採用し、キューアップ制御部１６へ出力する。これにより、コントロール信号欠落検出回路６１でコントロール信号欠落を検出しない限りは、コントロール信号によるテープ走行量を用いることにより、正確なテープ走行量検出が可能となり、キューアップ精度が向上することになる。
【００４７】
また、テープ走行量切換回路６２はテープすべり検出回路６０でテープすべりが検出されかつ、コントロール信号欠落検出回路６１でコントロール信号欠落が検出された場合や双方とも検出されなかった場合はテープ走行量が多い方を採用してキューアップ処理することになる。これにより、できるだけ手前で減速することが可能となり、テープ始端に突入してしまう危険を回避できるようになっている。
【００４８】
従って、本実施の形態の磁気記録再生装置はテープのぐず巻きによって生じるテープすべり、コントロール再生磁気ヘッドの目詰まりによって生じるコントロール信号の欠落が発生しても、正確にキューアップ動作が可能となる。
【００４９】
なお、コントロール信号の欠落検出方法、テープすべりの検出方法は本実施の形態で説明した方法に限定するものではなく、他の方法で検出しても構わない。
【００５０】
【発明の効果】
以上の説明から明らかなように、本発明によれば、コントロール信号とテープ駆動手段から検出したテープ走行量の双方を補完しあいながらテープ走行量検出を行うため、コントロールヘッドが目詰まりしても、磁気テープと磁気テープ駆動手段との間ですべりが生じても、正確にキューアップできる磁気記録再生装置を提供できる。
【図面の簡単な説明】
【図１】本発明の実施の形態１における磁気記録再生装置の構成を示すブロック図
【図２】本発明の実施の形態１におけるテープフォーマットを示す図
【図３】本発明の実施の形態１におけるテープ走行量検出回路の構成を示すブロック図
【図４】本発明の実施の形態２におけるテープ走行量検出回路の構成を示すブロック図
【図５】本発明の実施の形態３における磁気記録再生装置の構成を示すブロック図
【図６】本発明の実施の形態３におけるテープすべり検出回路の構成を示すブロック図
【図７】従来の磁気記録再生装置の構成を示すブロック図
【符号の説明】
１  回転シリンダ
２  磁気テープ
３  ビデオカセット
４  キャプスタン
５  ピンチローラ
６  コントロール信号用磁気ヘッド
７  巻き取りリール
８  送出しリール
９  巻き取りリール駆動回路
１０  送出しリール駆動回路
１１  ＣＴＬ信号再生回路
１２  目標位置までのＣＴＬカウンタ
１３  テープ走行量検出回路
１４  目標位置までのテープ走行量カウンタ
１５、６２  テープ走行量切換回路
１６  キューアップ制御部
３０  送出しリールＦＧカウンタ
３１  巻き取りリールＦＧカウンタ
３２  送出しリール径算出回路
３３  送出しリール径フィルタ回路
３４、３７  テープ走行量算出回路
３５  巻き取りリール径算出回路
３６  巻き取りリール径フィルタ回路
３８  テープ走行量平均化回路
６０  テープすべり検出回路
６１  コントロール信号欠落検出回路
７０  テープ走行量比較回路
【図１】
0003729079.tif 000007
【図２】
0003729079.tif 000008
【図３】
0003729079.tif 000009
【図４】
0003729079.tif 000010
【図５】
0003729079.tif 000011
【図６】
0003729079.tif 000012
【図７】
0003729079.tif 000013